(57)【要約】  代表タイトル情報が付加されたメタデータを含むＡＶデータを記録した情報記録媒体、その再生装置及びメタデータの検索方法を提供する。情報記録媒体に記録されたＡＶデータ自体に関する情報である記録媒体情報と、ＡＶデータの内容を構成している少なくとも一つのタイトルに関するタイトル情報とを含み、タイトル情報は、タイトルのうち、少なくとも一つのタイトルを代表タイトルとして指定する代表タイトル情報を含んでいることを特徴とするメタデータを含むＡＶデータを記録した情報記録媒体である。
2008512815.tif 000002
【特許請求の範囲】
【請求項１】
情報記録媒体に記録されたＡＶデータ自体に関する情報である記録媒体情報と、
前記ＡＶデータの内容を構成している少なくとも一つのタイトルに関するタイトル情報とを含み、
前記タイトル情報は、前記タイトルのうち、少なくとも一つのタイトルを代表タイトルとして指定する代表タイトル情報を含んでいることを特徴とするメタデータを含むＡＶデータを記録した情報記録媒体。
【請求項２】
前記情報記録媒体は、光ディスクであり、前記記録媒体情報は、前記光ディスクに記録されたＡＶデータ自体に関する情報であるディスク情報であることを特徴とする請求項１に記載のＡＶデータを記録した情報記録媒体。
【請求項３】
前記タイトル情報は、一つの光ディスクで複数個が含まれており、前記複数個のタイトルのうち少なくとも一つを前記代表タイトルとして指定することを特徴とする請求項２に記載のＡＶデータを記録した情報記録媒体。
【請求項４】
前記ディスク情報と前記タイトル情報とは、互いに参照するリンクを有していることを特徴とする請求項２に記載のＡＶデータを記録した情報記録媒体。
【請求項５】
前記タイトル情報は、
前記代表タイトル情報と一般タイトル情報とを含み、前記代表タイトル情報は、前記一般タイトル情報より構造的に上位に存在して、前記一般タイトル情報をサブリンクで連結して有していることを特徴とする請求項１に記載のＡＶデータを記録した情報記録媒体。
【請求項６】
前記タイトル情報は、
前記代表タイトル情報と一般タイトル情報とを含み、前記代表タイトル情報と前記一般タイトル情報とは、同じレベルに存在し、前記代表タイトルは、前記一般タイトルと区分されるＩＤを有していることを特徴とする請求項１に記載のＡＶデータを記録した情報記録媒体。
【請求項７】
情報記録媒体が挿入されると、そのメタデータを保存するメタデータ保存部と、
検索条件を入力されて、前記メタデータのうち、代表タイトルとして指定されたタイトルのメタデータを他のタイトルのメタデータより優先的に検索する検索部とを備えることを特徴とする再生装置。
【請求項８】
ユーザの検索条件を入力されるユーザインターフェース部と、
前記検索部の検索結果を出力するディスプレイ部をさらに備えることを特徴とする請求項７に記載の再生装置。
【請求項９】
前記メタデータ保存部は、
前記情報記録媒体に記録されたＡＶデータ自体に関する情報である記録媒体情報と、
前記ＡＶデータの内容を構成している少なくとも一つのタイトルに関するタイトル情報とを含み、
前記タイトル情報は、前記タイトルのうち、少なくとも一つのタイトルを代表タイトルとして指定する代表タイトル情報を含んでいることを特徴とする請求項７に記載の再生装置。
【請求項１０】
前記情報記録媒体は、光ディスクであり、前記記録媒体情報は、前記光ディスクに記録されたＡＶデータ自体に関する情報であるディスク情報であることを特徴とする請求項９に記載の再生装置。
【請求項１１】
前記タイトル情報は、
前記代表タイトル情報と一般タイトル情報とを含み、前記代表タイトル情報は、前記一般タイトル情報より構造的に上位に存在して、前記一般タイトル情報をサブリンクで連結して有していることを特徴とする請求項９に記載の再生装置。
【請求項１２】
前記検索部は、
前記代表タイトル情報を優先的に検索し、検索条件に一致するメタデータが見つからない場合には、前記一般タイトル情報をさらに検索することを特徴とする請求項１１に記載の再生装置。
【請求項１３】
前記タイトル情報は、
前記代表タイトル情報と一般タイトル情報とを含み、前記代表タイトル情報と前記一般タイトル情報とは、同じレベルに存在し、前記代表タイトルは、前記一般タイトルと区分されるＩＤを有していることを特徴とする請求項９に記載の再生装置。
【請求項１４】
前記検索部は、
前記代表タイトル情報を優先的に検索し、検索条件に一致するメタデータが見つからない場合には、一般タイトル情報をさらに検索することを特徴とする請求項１３に記載の再生装置。
【請求項１５】
情報記録媒体のメタデータを保存する段階と、
検索条件を入力され、前記メタデータのうち、代表タイトルとして指定されたタイトルのメタデータを他のタイトルのメタデータより優先的に検索する段階とを含むことを特徴とするメタデータの検索方法。
【請求項１６】
前記保存されたメタデータは、
前記情報記録媒体に記録されたＡＶデータ自体に関する情報である記録媒体情報と、
前記ＡＶデータの内容を構成している少なくとも一つのタイトルに関するタイトル情報とを含み、
前記タイトル情報は、前記タイトルのうち、少なくとも一つのタイトルを代表タイトルとして指定する代表タイトル情報を含んでいることを特徴とする請求項１５に記載のメタデータの検索方法。
【請求項１７】
前記タイトル情報は、
前記代表タイトル情報と一般タイトル情報とを含み、前記代表タイトル情報は、前記一般タイトル情報より構造的に上位に存在して、前記一般タイトル情報をサブリンクで連結して有していることを特徴とする請求項１６に記載のメタデータの検索方法。
【請求項１８】
前記検索条件を入力される段階は、
前記代表タイトル情報を優先的に検索し、検索条件に一致するメタデータが見つからない場合には、前記一般タイトル情報をさらに検索することを特徴とする請求項１７に記載のメタデータの検索方法。
【請求項１９】
前記タイトル情報は、
前記代表タイトル情報と一般タイトル情報とを含み、前記代表タイトル情報と前記一般タイトル情報とは、同じレベルに存在し、前記代表タイトルは、前記一般タイトルと区分されるＩＤを有していることを特徴とする請求項１６に記載のメタデータの検索方法。
【請求項２０】
前記検索条件を入力される段階は、
前記代表タイトル情報を優先的に検索し、検索条件に一致するメタデータが見つからない場合には、一般タイトル情報をさらに検索することを特徴とする請求項１９に記載のメタデータの検索方法。
【請求項２１】
情報記録媒体が挿入されると、そのメタデータを保存する段階と、
検索条件を入力され、前記メタデータのうち、代表タイトルとして指定されたタイトルのメタデータを他のタイトルのメタデータより優先的に検索する段階と、
前記検索結果を出力する段階とを含むことを特徴とするＡＶデータ再生方法。
【請求項２２】
情報記録媒体が挿入されると、そのメタデータを保存する段階と、
検索条件を入力され、前記メタデータのうち、代表タイトルとして指定されたタイトルのメタデータを他のタイトルのメタデータより優先的に検索する段階とをさらに含むことを特徴とするメタデータの検索方法をコンピュータで実行させるためのプログラムを記録したコンピュータで読み取り可能な記録媒体。
【請求項２３】
メタデータ検索条件を入力する段階と、
前記入力された検索条件によってメタデータの検索を行う段階と、
前記メタデータの検索結果をディスプレイする段階とを含み、
代表タイトルについてのメタデータが優先的に検索されることを特徴とするメタデータの検索方法。
【請求項２４】
メタデータの検索条件を入力する段階と、
前記入力された検索条件がディスク関連メタデータであるかどうか判断し、前記入力された検索条件がディスク関連のメタデータに関するものであれば、ディスク関連のメタデータの複数のアイテムを検索し、該当検索結果を出力する段階と、
前記入力された検索条件にマッチされるディスク関連のメタデータがない場合、マッチが発見されていないことを示すメッセージを出力する段階とを含むことを特徴とするメタデータの検索方法。
【請求項２５】
前記入力された検索条件が、ディスク関連のメタデータに関するものではなければ、タイトル関連のメタデータが検索され、複数個のタイトル関連のメタデータは、互いに区分されており、前記タイトル関連のメタデータのうち代表タイトルは、代表タイトルとして区分されることを特徴とする請求項２４に記載のメタデータの検索方法。
【請求項２６】
前記入力された検索条件にマッチされるメタデータがあるかどうかを判断し、所望の検索結果が獲得されれば、前記検索結果をディスプレイする段階をさらに含むことを特徴とする請求項２５に記載のメタデータの検索方法。
【請求項２７】
前記入力された検索条件にマッチされるメタデータがあるかどうかを判断し、代表タイトルのメタデータが発見されなければ、一般タイトルのメタデータを検索し、その検索結果をディスプレイする段階をさらに含むことを特徴とする請求項２５に記載のメタデータの検索方法。
【発明の詳細な説明】
【技術分野】
【０００１】
本発明は、メタデータに係り、さらに詳細には、代表タイトル情報が付加されたメタデータを含むＡＶデータを記録した情報記録媒体、その情報記録媒体の再生方法及び再生装置に関する。
【背景技術】
【０００２】
ＡＶデータのようなコンテンツを記録した一つの記録媒体であるディスクは、そのディスクに記録されたコンテンツに関する情報としてメタデータを有している。すなわち、ディスクの題目、製作日、俳優、監督などに関する情報を有している。そして、ユーザは、これらのメタデータを検索することによって、所望の題目のコンテンツまたは俳優が登場するコンテンツを容易に発見することができる。
【０００３】
一方、ディスクを再生装置（プレーヤ）で一度ロードすれば、これらのメタデータは、再生装置に残るようになるが、ローディングしたディスクが多くなるにつれて、これらのメタデータの量も多くなるので、これらのメタデータを検索して、ユーザが望むコンテンツを探すのに時間が多くかかる。
【発明の開示】
【発明が解決しようとする課題】
【０００４】
本発明が達成しようとする技術的課題は、メタデータの検索時に、ディスクの代表タイトルのメタデータを優先的に検索できるように、従来のメタデータ構造は変更せず、ディスクの代表タイトル情報をメタデータにさらに含めることによって、検索速度を向上させたメタデータを含むＡＶデータを記録した情報記録媒体、その情報記録媒体の再生方法及び再生装置を提供することである。
【０００５】
本発明が達成しようとする他の技術的課題は、ディスク情報をユーザに見せる時に、代表タイトルの情報を共に参照して表示することによって、さらに多くの情報をユーザに提供できるように作られた、メタデータを含むＡＶデータを記録した情報記録媒体、その情報記録媒体の再生方法及び再生装置を提供することである。
【課題を解決するための手段】
【０００６】
前記技術的課題は、本発明によって、情報記録媒体に記録されたＡＶデータ自体に関する情報である記録媒体情報と、前記ＡＶデータの内容を構成している少なくとも一つのタイトルに関するタイトル情報とを含み、前記タイトル情報は、前記タイトルのうち、少なくとも一つのタイトルを代表タイトルとして指定する代表タイトル情報を含んでいることを特徴とするメタデータを含むＡＶデータを記録した情報記録媒体によって達成される。
【０００７】
前記情報記録媒体は、光ディスクであり、前記記録媒体情報は、前記光ディスクに記録されたＡＶデータ自体に関する情報であるディスク情報であることが望ましい。
【０００８】
前記タイトル情報は、一つの光ディスクで複数個が含まれていてもよく、前記複数個のタイトルのうち少なくとも一つを代表タイトルとして指定することがさらに望ましい。
【０００９】
また、前記タイトル情報は、代表タイトル情報と一般タイトル情報とを含み、前記代表タイトル情報は、前記一般タイトル情報より構造的に上位に存在して、前記一般タイトル情報をサブリンクで連結して有していることが望ましい。
【００１０】
また、前記タイトル情報は、代表タイトル情報と一般タイトル情報とを含み、前記代表タイトル情報と前記一般タイトル情報とは、同じレベルに存在し、前記代表タイトルは、前記一般タイトルと区分されるＩＤを有していてもよい。
【００１１】
一方、本発明の他の分野によれば、前記技術的課題は、情報記録媒体が挿入されれば、そのメタデータを保存するメタデータ保存部と、検索条件を入力されて、前記メタデータのうち、代表タイトルとして指定されたタイトルのメタデータを他のタイトルのメタデータより優先的に検索する検索部とを備えることを特徴とする再生装置によっても達成される。
【００１２】
前記再生装置は、ユーザの検索条件を入力されるユーザインターフェース部と、前記検索部の検索結果を出力するディスプレイ部とをさらに備えることが望ましい。
【００１３】
前記メタデータ保存部は、前記情報記録媒体に記録されたＡＶデータ自体に関する情報である記録媒体情報と、前記ＡＶデータの内容を構成している少なくとも一つのタイトルに関するタイトル情報とを含み、前記タイトル情報は、前記タイトルのうち、少なくとも一つのタイトルを代表タイトルとして指定する代表タイトル情報を含んでいることが望ましい。
【００１４】
一方、本発明の他の分野によれば、前記技術的課題は、（ａ）情報記録媒体が挿入されれば、そのメタデータを保存する段階と、（ｂ）検索条件を入力されて、前記メタデータのうち、代表タイトルとして指定されたタイトルのメタデータを他のタイトルのメタデータより優先的に検索する段階とをさらに含むことを特徴とするメタデータの検索方法によっても達成される。
【００１５】
また、前記技術的課題は、（ａ）情報記録媒体が挿入されると、そのメタデータを保存する段階と、（ｂ）検索条件を入力されて、前記メタデータのうち、代表タイトルとして指定されたタイトルのメタデータを他のタイトルのメタデータより優先的に検索する段階と、（ｃ）前記検索部の検索結果を出力する段階とを含むことを特徴とするＡＶデータ再生方法によっても達成される。
【発明の効果】
【００１６】
本発明によれば、メタデータの検索時に、代表タイトルのメタデータを優先的に検索することによって、さらに早くメタデータを検索できる。すなわち、メタデータを使用して特定ディスクやタイトル、場面（シーン）を探してユーザに提供しようとする場合、代表タイトルのメタデータを優先的に検索することによって、メタデータを全て検索する時より検索時間を短縮できる。
【００１７】
また、ディスクやタイトルのメタデータをユーザに見せる時、代表タイトルに該当する情報を共に参照して表示することによって、さらに詳細な情報を提供できる。
【発明を実施するための最良の形態】
【００１８】
以下、添付された図面を参照して本発明の望ましい実施形態について詳細に説明する。
【００１９】
図１は、メタデータの構造を示す図である。
【００２０】
ディスクに記録されたメタデータ１１０には、ディスク自体に関連したメタデータやあらゆるタイトルに共通的に適用されるメタデータであるディスク情報１２０と、ディスクに記録されたタイトルに関連したメタデータであるタイトル情報１３０とがある。図１を参照するに、ディスク情報１２０には、ディスクの生成と関連したメタデータ、ディスクのフォーマットに関連したメタデータ、ディスクと関連した資料に関するメタデータ、ディスクの著作者が定義したその他のメタデータがある。ディスクの生成と関連したメタデータには、ディスクの題目、目次、著作権、配布情報などがある。ディスクフォーマットに関連したメタデータには、画面比率、サブタイトル、上映時間、オーディオ情報などがあり、ディスクと関連した資料に関するメタデータには、サムネイル、関連ＵＲＬなどがある。
【００２１】
そして、タイトル情報１３０もディスク情報１２０と同様に、コンテンツの生成と関連したメタデータ、コンテンツのフォーマットに関連したメタデータ、コンテンツと関連した資料に関するメタデータ、コンテンツの著作者が定義したその他のメタデータがある。コンテンツの生成と関連したメタデータには、タイトル題目、タイトルタイプ、タイトルの製作（撮影）、配布等に関与した会社があり、コンテンツフォーマットに関連したメタデータには、クレジット、プロモーション情報、コンテンツタイプ及びレビューなどがある。クレジットは、タイトルの製作に関連した人々に関する情報であって、俳優、監督、製作者、音楽、シナリオなどに関連した情報であり、プロモーション情報は、ジャンル、言語、ペアレンタルガイドなどの情報である。コンテンツと関連した資料に関するメタデータは、あらすじ（Ｓｙｎｏｐｓｉｓ）、受賞に関する情報及び関連ＵＲＬなどがある。
【００２２】
図２は、一つのディスクに記録されたメタデータの一例を示す図である。図２を参照するに、一つのディスクに記録されたディスク関連のメタデータは一つであるが、一つのディスクは、複数のタイトルを含むことができるので、タイトルに関連した複数のメタデータが存在するということが分かる。
【００２３】
このように一つのディスクに含まれたメタデータは、前述のように色々存在し、これらメタデータを検索することによって、ユーザが見ようとするＡＶコンテンツが記録されたディスクを容易に探すことができ、所望の俳優が出演したタイトルまたはディスクなどを探すこともできる。
【００２４】
検索に当って、本発明では、ユーザが探そうとするＡＶコンテンツは、ディスクの代表タイトル内に含まれている可能性が最も高いので、あらゆるタイトルのメタデータを検索せず、ディスクの代表タイトルのメタデータを優先的に検索する。複数個のディスクをロードした場合にも、再生装置に残っている複数個のディスクのメタデータのうち、各ディスクの代表タイトルのメタデータを優先的に検索することによって、あらゆるタイトルのメタデータを検索した時より検索速度が速くなる。
【００２５】
図３は、本発明の望ましい実施形態によるマルチメディアデータ再生装置のブロック図である。図３を参照するに、マルチメディアデータ再生装置は、メタデータ保存部３１０に保存されたメタデータを、ユーザインターフェース部３３０を介して入力された検索条件によって検索部３２０で検索して、その結果をディスプレイ部３４０を介して出力する。このために、マルチメディアデータ再生装置は、メタデータ保存部３１０、検索部３２０、ユーザインターフェース部３３０及びディスプレイ部３４０を備える。
【００２６】
メタデータ保存部３１０は、ディスクなどを含む情報記録媒体のメタデータを受信して保存する。ユーザがディスクなどの情報記録媒体をマルチメディアデータ再生装置に挿入して、マルチメディアデータ再生装置がディスクなどの情報記録媒体を一度ロードすれば、その情報記録媒体に関連したメタデータは、情報記録媒体が除去されても削除されずにメタデータ保存部３１０に残っている。ユーザインターフェース部３３０は、このように保存されているメタデータに対する検索条件をユーザから入力される。すなわち、ディスク題目、登場俳優、監督などに関する検索語をリモコンやその他の色々な装置を通じて入力される。検索部３２０は、メタデータを検索して、ユーザの検索条件に一致するメタデータをディスプレイ部３４０に出力する。検索部３２０が、いかなる方法でメタデータを検索するかについては後述する。
【００２７】
図４は、ディスプレイ部で出力した検索結果画面の一例を示す図である。図４を参照するに、ユーザが容易に検索をできるように、メタデータ保存部３１０に保存されたメタデータをユーザに各フィールド別（ジャンル、俳優、監督など）に表示し、これらのうち一つを選択すれば、それと関連したサブメタデータを詳細に見せることによって、ユーザが選択できるようにする。例えば、ユーザが”俳優”を選択したとすれば、メタデータ保存部３１０に保存されていた俳優情報をいずれも表示する。このように検索された結果を、図４に示すように画面に出力する。
【００２８】
図５は、本発明の望ましい実施形態によるマルチメディアデータの再生方法のフローチャートである。
【００２９】
ユーザから検索条件を受信する（Ｓ５１０）。そして、検索条件によってメタデータに対する検索を行う（Ｓ５２０）。このとき、代表タイトルのメタデータを優先的に検索する。本発明では、メタデータを検索する方法については特定していないが、一実施形態として特定メタデータを優先的に検索する加重値を置いてもよい。すなわち、複数のメタデータのうち、どのメタデータを優先的に検索するかを加重値を使用して定めることができる。
【００３０】
例えば、“俳優”というメタデータがある場合、男女、選好ジャンル、出演映画、年齢など、“俳優”を表現する色々な属性のうち、どれを優先的に検索するか加重値を通じて決定できる。一方、排他的検索は、ユーザの検索条件と正確に一致するメタデータを探すことであり、包含的検索は、ユーザの検索条件が含まれているメタデータを探すことである。
【００３１】
次に、このように検索された結果をディスプレイする（Ｓ５３０）。ディスプレイするときにも、最も一致するメタデータに対応するマルチメディアデータを優先的に表示でき、その一致度によって順次の配列してもよい。
【００３２】
図６は、代表タイトルを利用して検索した結果の一例を示す図である。
【００３３】
一つのディスクのメタデータは、一つのディスク情報と複数個のタイトル情報とを含む。図６の例では、タイトル１を代表タイトルとして示し、検索結果によるディスク情報を代表タイトル情報と共にディスプレイした。タイトル１は、映画でのメインタイトルである。すなわち、検索された代表タイトルに関連したタイトル情報であって、クレジットやプロモーション情報をディスク情報と共にさらにディスプレイした。
【００３４】
図７は、代表タイトルを利用して検索した結果の他の一例を示す図である。図７では、コンテンツがＴＶシリーズ物である場合を例として挙げており、このとき、それぞれのエピソードをいずれも代表タイトルとしてもよい。その他に音楽コンテンツである場合には、ディスクにメイン音楽ファイル、その音楽に対するカラオケファイル、伴奏ファイル、ミュージックビデオなどが含まれていることがあり、メイン音楽ファイル及びミュージックビデオなどを代表タイトルとして設定してもよい。
【００３５】
このように、代表タイトルは、コンテンツの内容を代表できる資料を有しているタイトルであり、一般タイトルは、代表タイトルの内容とその一部分が重複されるか、代表タイトルの内容を他のフォーマットにしたタイトルであるか、またはディスクが含めようとする主な形態のフォーマットではないコンテンツを含むタイトルでありうる。一例として、映画を含んでいるディスクでそれに関連したゲームコンテンツを含むタイトル、または挿入音楽として使われた音楽を含むタイトルなどが、一般タイトルとなりうる。
【００３６】
図８は、本発明のメタデータの検索方法を示す詳細フローチャートである。
【００３７】
ユーザが検索しようとする検索条件を入力される（Ｓ８１０）。入力された検索条件がディスクに関連したメタデータであるかどうか判断して（Ｓ８２０）、ディスクに関連したメタデータであれば、ｄｉｓｃ＿ｉｄと区分された複数のディスク関連のメタデータを検索して（Ｓ８３０）、その結果を出力する（Ｓ８７０）。探そうとする検索条件を満足するディスク関連のメタデータが存在しなければ、該当ディスクを発見できないというメッセージを出力する。判断結果、ディスクに関連したメタデータではなければ、代表タイトルとして指定されたタイトルのメタデータを検索する（Ｓ８４０）。複数個のタイトル関連のメタデータは、ｔｉｔｌｅ＿ｉｄと区分されており、これらのうち代表タイトルは、ｒｔｉｔｌｅ＿ｉｄとして示す。検索条件と一致するメタデータがあるかどうかを判断して（Ｓ８５０）、所望の検索結果が得られれば、その結果をディスプレイし（Ｓ８７０）、そうでなければ、代表タイトルで発見できないということであるので、一般タイトルのメタデータをさらに検索して（Ｓ８６０）、その結果を出力する（Ｓ８７０）。
【００３８】
図９Ａ及び図９Ｂは、ディスクメタデータとタイトルメタデータとの連結関係を示す図である。図９Ａを参照するに、代表タイトルを一般タイトルより構造的に上位に存在させ、一般タイトルを代表タイトルのサブ構造に存在させる。この場合に、ユーザがメタデータを利用して探そうとするディスク情報は、ｄｉｓｃ＿ｉｄによって指示するディスクメタデータを検索することで探すことが可能であり、ユーザがメタデータを利用して探そうとするタイトル情報は、優先的に代表タイトルであるｒｔｉｔｌｅ＿ｉｄによって指示するメタデータを検索することで探すことが可能である。ユーザがディスク情報を検索しようとする場合には、検索結果によって得られたディスク情報と共に、そのディスクで指定された代表タイトルに関する要約情報もディスプレイすることで、ユーザにさらに多くの情報を提供できる。
【００３９】
この場合には、代表タイトルが一般タイトルより構造的に上位に存在するため、代表タイトルであることをｒｔｉｔｌｅ＿ｉｄに別途に表示せず、一般タイトルのような形態のｔｉｔｌｅ＿ｉｄを使用しても、どのタイトルが代表タイトルであるかが分かる。言い換えれば、例えば、代表タイトルのＩＤを“１０００００００”とし、一般タイトルのＩＤを“１００００００１”、“１０００００１０”のように示してもよい。
【００４０】
一方、図９Ｂを参照するに、代表タイトルが一般タイトルと同じレベルで位置することが分かる。この場合には、ｔｉｔｌｅ＿ｉｄに別途に表示してｒｔｉｔｌｅ＿ｉｄが代表タイトルであることを示す必要がある。すなわち、一般タイトルのＩＤとして“０００００００１”、“００００００１０”を使用したとすれば、代表タイトルのＩＤとしては“１００００００１”のような値を使用しなければならない。この場合にも、ユーザがタイトル情報に該当するメタデータを検索しようとするならば、代表タイトルであるｒｔｉｔｌｅ＿ｉｄのメタデータを優先的に検索した後、一般タイトルであるｔｉｔｌｅ＿ｉｄのメタデータを検索し、ユーザが探そうとする情報がディスク情報であれば、ｄｉｓｃ＿ｉｄが指示するメタデータを検索する。なお、図９Ａ及び図９Ｂにおいて、代表タイトルは、一つのディスク内で複数存在できる。
【００４１】
前述のように、ディスクに保存されたメタデータは、ディスクに関連したメタデータとタイトルに関連したメタデータとに区分されるが、これらのデータは、互いの内容を参照でき、リンクされていることもある。例えば、ディスクに関連したメタデータをディスプレイする時、そのディスクに含まれているタイトル情報が必要な場合があり、タイトルに関連したメタデータをディスプレイする時、そのタイトルがどのディスクに含まれているかを表示することが必要な場合がある。この場合、ディスク関連のメタデータとタイトル関連のメタデータとは、互いのメタデータを参照するか、またはリンクする。参照またはリンク時には、ｄｉｓｃ＿ｉｄとｔｉｔｌｅ＿ｉｄとを使用し、複数のタイトルのうちから代表タイトルを参照するか、リンクするためには、ｒｔｉｔｌｅ＿ｉｄを有するタイトルを検索する。
【００４２】
一方、前述したメタデータの検索方法及びこれに基づいたマルチメディアデータの再生方法は、コンピュータプログラムとして作成可能である。前記プログラムを構成するコード及びコードセグメントは、当分野のプログラマーらによって容易に推論可能である。また、前記プログラムは、コンピュータで読み取り可能な情報記録媒体に保存され、コンピュータによって読み取られ実行されることによって、メタデータの検索方法及びこれに基づいたマルチメディアデータの再生方法を具現する。前記情報記録媒体は、磁気記録媒体、光記録媒体、及びキャリアウェーブ媒体を含む。
【００４３】
これまで本発明についてその望ましい実施形態を中心に説明した。当業者ならば、本発明が本発明の本質的な特性から逸脱しない範囲で変形された形態で具現できるということを理解できるであろう。したがって、開示された実施形態は、限定的な観点ではなく、説明的な観点で考慮されねばならない。本発明の範囲は、前述した説明ではなく、特許請求の範囲に現れており、それと同等な範囲内にあるあらゆる差異点は、本発明に含まれていると解釈されねばならない。
【図面の簡単な説明】
【００４４】
【図１】メタデータの構造を示す図である。
【図２】一つのディスクに記録されたメタデータの一例を示す図である。
【図３】本発明の望ましい実施形態によるマルチメディアデータ再生装置のブロック図である。
【図４】ディスプレイ部で出力した検索結果画面の一例を示す図である。
【図５】本発明の望ましい実施形態によるマルチメディアデータの再生方法を示すフローチャートである。
【図６】代表タイトルを利用して検索した結果の一例を示す図である。
【図７】代表タイトルを利用して検索した結果の他の一例を示す図である。
【図８】本発明のメタデータの検索方法を示す詳細フローチャートである。
【図９Ａ】ディスクメタデータとタイトルメタデータとの連結関係を示す図である。
【図９Ｂ】ディスクメタデータとタイトルメタデータとの連結関係を示す図である。
【図１】
2008512815.tif 000003
【図２】
2008512815.tif 000004
【図３】
2008512815.tif 000005
【図４】
2008512815.tif 000006
【図５】
2008512815.tif 000007
【図６】
2008512815.tif 000008
【図８】
2008512815.tif 000009
【図９Ａ】
2008512815.tif 000010
【図９Ｂ】
2008512815.tif 000011
【図７】
2008512815.tif 000012
【国際調査報告】
2008512815.tif 000013